(57)【要約】【課題】JOGコントローラの操作とモニターの映像の挙動を調整する。【解決手段】ビデオサーバーとデコーダとデコーダ制御装置と端末とJOGコントローラとを有するテープレスシステムにおいて、上記制御端末は、おおよそ一秒以下の一定間隔で端末にJOGコントローラから通知されるJOGコマンドを記録する機能と、おおよそ一秒以下の一定間隔で上記JOGコマンドからダイアル値の差分を計算してJOG制御要求電文のダイアル値（フレーム値）に設定して上記制御装置に要求指示を行う機能とを有する。または、上記制御端末は、おおよそ一秒以下の一定間隔で端末にJOGコントローラから通知されるSHUTTLEコマンドとVARコマンドを記録する機能と、おおよそ一秒以下の一定間隔で一定間隔終了タイミングで最後に記録されたダイアル値とシャトル位置と倍速度一覧から倍速値を計算して、SHUTTLE(VAR)制御要求電文の倍速に設定して上記制御装置に要求指示を行う機能とを有する。【選択図】図１
2011217255.tif 000002
【特許請求の範囲】
【請求項１】
ビデオサーバーとデコーダとデコーダ制御装置と端末とJOGコントローラとを有するテープレスシステムにおいて、上記制御端末は、おおよそ一秒以下の一定間隔で端末にJOGコントローラから通知されるJOGコマンドを記録する機能と、おおよそ一秒以下の一定間隔で上記JOGコマンドからダイアル値の差分を計算してJOG制御要求電文のダイアル値（フレーム値）に設定して上記制御装置に要求指示を行う機能とを有することを特徴とする制御端末。
【請求項２】
ビデオサーバーとデコーダとデコーダ制御装置と端末とJOGコントローラとを有するテープレスシステムにおいて、、上記制御端末は、おおよそ一秒以下の一定間隔で端末にJOGコントローラから通知されるSHUTTLEコマンドとVARコマンドを記録する機能と、おおよそ一秒以下の一定間隔で一定間隔終了タイミングで最後に記録されたダイアル値とシャトル位置と倍速度一覧から倍速値を計算して、SHUTTLE(VAR)制御要求電文の倍速に設定して上記制御装置に要求指示を行う機能とを有することを特徴とする制御端末。
【発明の詳細な説明】
【技術分野】
【０００１】
本発明は、番組素材を、ビデオサーバーにファイリングした上でオンエアーする方式のテープレスシステムに関するものである。
【背景技術】
【０００２】
テレビジョン放送業務では、従来からビデオサーバーを備えたノンリニアバンクシステムを用い、ＶＴＲ(Video Tape Recorder）等の記録装置に記録されている番組やＣＭ等の放送素材を、ビデオサーバーにファイリングした上でオンエアーして放送している（特許文献１参照）。ビデオサーバーの入出力信号が非圧縮の映像信号から、圧縮されたファイル形式となり、テープレスシステムと呼称されるようになった。
【０００３】
ビデオサーバーとデコーダとデコーダ制御装置と端末とJOGコントローラとを有するテープレスシステムにおいて、JOGコントローラからのコマンドは、デコーダを制御する送出制御装置と映像を再生するデコーダまでのコマンド到達時間などに関係なく、オペレータ操作によりJOG、SHUTTLE/VARのポジションが変化すると通知される。
【０００４】
ビデオサーバーとデコーダとデコーダ制御装置と端末とJOGコントローラとを有するテープレスシステムにおいて、JOGコントローラからコマンドを受けるタイミングでデコーダ制御装置へコマンドを送信すると、JOGコントローラの操作とモニターの映像の挙動にずれが生じることがある。
【先行技術文献】
【特許文献】
【０００５】
【特許文献１】特開２００５ −２１０４９０号公報
【発明の概要】
【発明が解決しようとする課題】
【０００６】
本発明は、JOGコントローラの操作とモニターの映像の挙動を調整することを目的とする。
【課題を解決するための手段】
【０００７】
本発明は、上記の目的を達成するために、ビデオサーバーとデコーダとデコーダ制御装置と端末とJOGコントローラとを有するテープレスシステムにおいて、上記制御端末は、おおよそ一秒以下の一定間隔で端末にJOGコントローラから通知されるJOGコマンドを記録する機能と、おおよそ一秒以下の一定間隔で上記JOGコマンドからダイアル値の差分を計算してJOG制御要求電文のダイアル値（フレーム値）に設定して上記制御装置に要求指示を行う機能とを有することを特徴とする制御端末である。
【０００８】
また、ビデオサーバーとデコーダとデコーダ制御装置と端末とJOGコントローラとを有するテープレスシステムにおいて、上記制御端末は、おおよそ一秒以下の一定間隔で端末にJOGコントローラから通知されるSHUTTLEコマンドとVARコマンドを記録する機能と、おおよそ一秒以下の一定間隔で一定間隔終了タイミングで最後に記録されたダイアル値とシャトル位置と倍速度一覧から倍速値を計算して、SHUTTLE(VAR)制御要求電文の倍速に設定して上記制御装置に要求指示を行う機能とを有することを特徴とする制御端末である。
【発明の効果】
【０００９】
以上のように、本発明によれば、本発明は、ビデオサーバーとデコーダとデコーダ制御装置と端末とJOGコントローラとを有するテープレスシステムにおいて、JOGコントローラから通知されるコマンドを一定間隔保持して、デコーダ制御装置へコマンド送信することで、JOGコントローラの操作とモニターの映像の挙動を調整することができる。
【図面の簡単な説明】
【００１０】
【図１】本発明の一実施例のテープレスシステムのJOGコントローラからデコーダまでの接続図を示す模式図
【図２】本発明の一実施例のテープレスシステムのJOGコマンドの動作シーケンス図を示す模式図
【図３】本発明の１実施例のテープレスシステムのSHUTTLE/VARコマンドの動作シーケンス図の模式図
【図４】本発明の１実施例のテープレスシステムのJOGコントローラのシャトル位置と倍速度一覧図
【発明を実施するための形態】
【００１１】
まず本発明の一実施例のテープレスシステムのJOGコントローラの接続を図１を用いて説明する。
図１は、本発明の一実施例のテープレスシステムのJOGコントローラ３１から端末３２とデコーダ制御装置３３とデコーダ３４までの接続図を示す模式図であり、デコーダ３４は図示しないビデオサーバーに再生命令を送り、映像ファイルをビデオサーバーから受け取り、デコードした映像信号を送出する。
【００１２】
以下本発明の一実施例の制御端末のJOGコントローラの動作を説明する。
【実施例１】
【００１３】
まず、図２は本発明の一実施例のテープレスシステムのJOGコマンドの動作シーケンス図を示す模式図であり、JOGコマンドの動作を説明する。
一定間隔（ini ファイルにて間隔設定可能とする：0ms〜1000ms）でOperating  System 制御アプリにJOGコントローラから通知されるメッセージを記録して、ダイアル値(-99〜+99)の差分を計算する。（0msはJOGコントローラからメッセージを通知されたら、すぐに送出制御装置にコマンド送信する。）
一定間隔ごとにその差分（ダイアル値）を計算して、JOG 制御要求電文のダイアル値（フレーム値）に設定して要求指示を行う。
一定間隔（0ms〜1000ms）のメッセージ記録処理はJOG 制御要求とは別にして行い、JOG 制御応答待ちの間のJOG コントローラからのメッセージ取りこぼしを防ぐ。
【００１４】
Operating  System 制御は、一定間隔（0ms〜1000ms）のメッセージ記録処理と、一定間隔（0ms〜1000ms）タイミングでの送出制御装置へのJOG 制御要求電文処理機能をもつ。
JOG 制御応答を送出制御装置から返さず、一定間隔の要求のみOperating  System 制御アプリより行う。
【実施例２】
【００１５】
次に、図３は本発明の１実施例のテープレスシステムのSHUTTLE/VARコマンドの動作シーケンス図の模式図であり、SHUTTLEコマンドとVAR コマンドにおける倍速値について説明する。
一定間隔（ini ファイルにて間隔設定可能とする：0ms〜1000ms）でOperating  System 制御アプリにJOG コントローラから通知されるメッセージを記録する。
一定間隔終了タイミングで最後に記録されたダイアル値（-44〜+44）と図４ のシャトル位置と倍速度一覧から倍速値を計算して、SHUTTLE(VAR)制御要求電文の倍速に設定して要求指示を行う。
【００１６】
一定間隔（0ms〜1000ms）のメッセージ記録処理はSHUTTLE(VAR)制御要求とは別にして行い、SHUTTLE(VAR)制御応答待ちの間のJOG コントローラからのメッセージ取りこぼしを防ぐ。
【００１７】
Operating  System 制御アプリは、一定間隔（0ms〜1000ms）のメッセージ記録処理と、一定間隔（0ms〜1000ms）タイミングでの送出制御装置へのSHUTTLE(VAR)制御要求電文処理機能をもつ。
【００１８】
SHUTTLE(VAR)制御応答を送出制御装置から返さず、一定間隔の要求のみOperating  System 制御アプリより行う。
【符号の説明】
【００１９】
３１：JOGコントローラ、３２：端末、３３：デコーダ制御装置、３４：デコーダ、
【図１】
2011217255.tif 000003
【図２】
2011217255.tif 000004
【図３】
2011217255.tif 000005
【図４】
2011217255.tif 000006